(57)【特許請求の範囲】
【請求項１】
複数種類の燃料ガスが導入されるガス導管網に接続されるガス設備の燃焼制御方法において，
前記ガス設備とガス導管網との接続経路内に設けられ，前記ガス設備が消費する燃料ガスの体積流量を計測する計量部を有するガスメータにおいて，前記計量部により前記燃料ガスの成分が監視され，
前記ガスメータの計量部により検出された燃料ガスの成分変化に応じて，燃焼出力を所望の値に維持するように，前記ガス設備の燃焼器における燃焼調整が行われることを特徴とするガス設備の燃焼制御方法。
【請求項２】
請求項１において，
前記燃焼器に供給される燃料ガス量と燃焼空気量とを制御する燃焼制御部に，前記のガスメータから燃料ガスの成分データが送信され，
前記燃焼制御部にて，当該成分データに応じて燃料ガスの供給量が制御されることを特徴とするガス設備の燃焼制御方法。
【請求項３】
請求項１において，
前記ガス設備が遠隔に位置するセンタ装置から遠隔制御され，
前記ガスメータから燃焼ガスの成分データが前記センタ装置に送信され，
前記センタ装置から当該燃料ガスの成分変化に応じた制御データが，前記ガス設備に送信され，
前記燃焼器に供給される燃料ガス量と燃焼空気量とを制御する燃焼制御部にて，当該制御データにしたがって，前記燃料ガスの供給量が制御されることを特徴とするガス設備の燃焼制御方法。
【請求項４】
請求項１乃至３のいずれかにおいて，
前記ガスメータの計量部は，前記燃料ガスの流体に超音波を伝播させて流量を検出する超音波流量計を有し，当該超音波の流体内での速度にしたがって燃料ガスの質量が求められ，当該質量にしたがって燃料ガスの成分が検出されることを特徴とするガス設備の燃焼制御方法。
【請求項５】
請求項１乃至３のいずれかにおいて，
前記ガスメータの計量部は，前記燃料ガスの流体に加熱体を露出させて前記流体の流量及び質量を検出する熱式質量流量計を有し，当該質量にしたがって燃料ガスの成分が検出されることを特徴とするガス設備の燃焼制御方法。
【請求項６】
複数種類の燃料ガスが導入されるガス導管網に接続されるガス設備の燃焼制御方法において，
前記ガス設備とガス導管網との接続経路内に設けられたガス成分監視部において，前記ガス設備が消費する燃料ガスの成分が監視され，
前記ガス成分監視部により検出された燃料ガスの成分変化に応じて，燃焼出力を所望の値に維持するように，前記ガス設備の燃焼器における燃焼調整が行われ，
前記ガス成分監視部は，前記燃料ガスの流体に超音波を伝播させて流量を検出する超音波流量計を有し，当該超音波の流体内での速度にしたがって燃料ガスの質量が求められ，当該質量にしたがって燃料ガスの成分が検出されることを特徴とするガス設備の燃焼制御方法。
【請求項７】
複数種類の燃料ガスが導入されるガス導管網に接続されるガス設備の燃焼制御方法において，
前記ガス設備とガス導管網との接続経路内に設けられたガス成分監視部において，前記ガス設備が消費する燃料ガスの成分が監視され，
前記ガス成分監視部により検出された燃料ガスの成分変化に応じて，燃焼出力を所望の値に維持するように，前記ガス設備の燃焼器における燃焼調整が行われ，
前記ガス成分監視部は，前記燃料ガスの流体に加熱体を露出させて前記流体の流量及び質量を検出する熱式質量流量計を有し，当該質量にしたがって燃料ガスの成分が検出されることを特徴とするガス設備の燃焼制御方法。
【請求項８】
ガス導管網の複数の位置に接続された複数のガス設備に，当該ガス導管網を経由して燃料ガスを供給する燃料ガス供給方法において，
前記ガス導管網に複数の供給口から組成が異なる複数の燃料ガスを供給する工程と，
前記ガス導管網の複数の位置に設けられたガス成分監視部により，それぞれの位置における燃料ガスの成分を検出する工程と，
前記ガス成分監視部から前記複数のガス成分監視部に共通に設けられたセンタ装置に前記検出した燃料ガスの成分データを送信する工程と，
前記センタ装置により，前記検出された燃料ガスの成分にしたがって前記複数のガス設備に供給される燃料ガス成分予測値を求める工程と，
前記センタ装置からそれぞれのガス設備に，当該燃料ガス成分予測値を通信により供給する工程とを有することを特徴とする燃料ガス供給方法。
【請求項９】
ガス導管網の複数の位置に接続された複数のガス設備に，当該ガス導管網を経由して燃料ガスを供給する燃料ガス供給方法において，
前記ガス導管網に複数の供給口から組成が異なる複数の燃料ガスを供給する工程と，
前記ガス導管網の複数の位置に設けられたガス成分監視部により，それぞれの位置における燃料ガスの成分を検出する工程と，
前記ガス成分監視部から前記複数のガス成分監視部に共通に設けられたセンタ装置に前記検出した燃料ガスの成分データを送信する工程と，
前記センタ装置により，前記検出された燃料ガスの成分にしたがって前記複数のガス設備に供給される燃料ガス成分予測値を求める工程と
前記センタ装置により，当該燃料ガス成分予測値に応じた燃焼指令データを前記ガス設備に送信して，前記ガス設備に設けられた前記燃焼器に供給される燃料ガス量と燃焼空気量とを制御する燃焼制御部にて，当該燃焼指令データにしたがって，前記燃料ガスの供給量が制御されることを可能にする工程とを有することを特徴とする燃料ガス供給方法。
【発明の詳細な説明】
【０００１】
【発明の属する技術分野】
本発明は，複数種類の燃料ガスが流されるガス導管網からの供給ガスを監視して，ガス成分の変化に応じてガス設備の燃焼制御を行うガス設備の燃焼制御方法に関する。
【０００２】
【従来の技術】
都市ガスは，メタンなどの天然ガス，ＬＰＧ，ブタンガス，プロパンガスなどを一定の組成に混合して，地域に張り巡らせたガス導管網経由でガス設備に供給される。ガス導管網には，複数のガス供給口が設けられ，それぞれのガス供給口から燃料ガスがガス導管網に導入される。また，ガス導管網は，複数のガス設備に接続され，燃料ガスがそれらのガス設備に供給される。
【０００３】
我が国は，都市ガス用の天然ガスの供給を主に外国からの輸入に頼っており，複数の地域から異なる天然ガスが液化されて主にタンカーによって輸入され，都市のガス導管網に導入される。複数の地域から産出される天然ガスは，組成にバラツキがあり，単位体積当たりの熱量が異なる。従って，ガス導管網に導入される前に，メタンなどの天然ガスにＬＰＧ，ブタン，プロパンなどを混合して熱量が一定になるように調整している。通常，熱量を下げるように調整することが技術的に困難であることから，輸入されてきた天然ガスの熱量を増加させる熱量調整が行われている。
【０００４】
このように，従来の都市ガスでは，ガス導管網に導入される燃料ガスを一定の熱量に熱量調整しているので，ガス導管網に接続されたガス設備には，常に一定の熱量の燃料ガスが供給される。
【０００５】
【発明が解決しようとする課題】
しかしながら，エネルギーの多様化の要請に伴い，タンカーによる液化された天然ガスの輸入だけでなく，複数の地域から産出した天然ガスをそのまま都市ガス用のガス導管網に導入することなどが必要になる。従って，熱量がそれぞれ異なる複数種類の天然ガスが，ガス導管網に導入されることが予想される。
【０００６】
その場合，ガス導管網に接続されたガス設備に供給される燃料ガスは，時間的に，かつ地域的に組成が変動し，単位体積当たりの熱量が変動することが予想される。厳密な熱量管理を必要とする製造ラインを有するガス設備では，このような供給される燃料ガスの組成変動は，生産品の品質低下を招き好ましくない。或いは，ガスエンジンにより発電，空調を行うガス設備においては，供給燃料ガスの組成変動は，燃焼出力の変動を伴い，ガスエンジンのノッキングや高NOx化を招き好ましくない。
【０００７】
そこで，本発明の目的は，複数種類の燃料ガスが導入されるガス導管網に接続されるガス設備において，一定の燃焼状態を維持することができる燃焼制御方法を提供することにある。
【０００８】
更に，本発明の目的は，複数種類の燃料ガスが導入されるガス導管網に接続されるガス設備において，一定の燃焼状態を維持することができる燃料ガス供給方法を提供することにある。
【０００９】
【課題を解決するための手段】
上記の目的を達成するために，本発明の一つの側面は，複数種類の燃料ガスが導入されるガス導管網に接続されるガス設備において，ガス設備が消費する燃料ガスの体積流量を計測する計量部を有するガスメータが，ガス導管網との接続経路内に設けられ，計量部により燃料ガスの成分が同時に監視され，計量部により検出された燃料ガスの成分変化に応じて，ガス設備の燃焼器における燃焼調整が行われ，燃焼出力を所望の値に維持することを特徴とする。
【００１０】
より好ましい実施例では，上記の発明において，燃焼器に供給される燃料ガス量と燃焼空気量とを制御する燃焼制御部に，前記のガスメータから燃料ガスの成分データが送信され，燃焼制御部にて，その成分データに応じて，燃焼出力が所望の値になるように燃料ガスの供給量が制御される。
【００１１】
別の実施例では，上記の発明において，ガス設備がセンタ装置から遠隔制御される場合は，ガスメータから燃焼ガスの成分データがセンタ装置に送信され，センタ装置から燃料ガスの成分変化に応じた制御データが，燃焼制御部に送信される。燃焼制御部では，当該制御データにしたがって，燃焼器に供給される燃料ガス量と燃焼空気量とが制御され，燃料ガスの供給量が燃焼出力を所望の値にするように制御される。
【００１２】
より好ましい実施例では，ガスメータの計量部は，燃料ガスの流体に超音波を伝播させて流量を検出する超音波流量計を有し，超音波の流体内での速度にしたがって燃料ガスの質量が求められ，当該質量にしたがって燃料ガスの成分が検出されることを特徴とする。
【００１３】
より好ましい実施例では，ガスメータの計量部は，前記燃料ガスの流体に加熱体を露出させて前記流体の流量及び質量を検出する熱式質量流量計を有し，当該質量にしたがって燃料ガスの成分が検出されることを特徴とする。
【００１４】
上記の目的を達成するために，本発明の別の側面は，複数種類の燃料ガスが導入されるガス導管網に接続されるガス設備において，ガス設備が消費する燃料ガスの成分を監視するガス成分監視部が，ガス導管網との接続経路内に設けられ，前記ガス成分監視部により検出された燃料ガスの成分変化に応じて，ガス設備の燃焼器における燃焼調整が行われ，燃焼出力を所望の値に維持することを特徴とする。
【００１５】
より好ましい実施例では，上記の発明において，前記ガス成分監視部は，燃料ガスの流体に超音波を伝播させて超音波の流体内での速度を検出する超音波速度計を有し，当該超音波の速度にしたがって燃料ガスの質量が求められ，当該質量にしたがって燃料ガスの成分が検出されることを特徴とする。
【００１６】
より好ましい実施例では，上記の発明において，前記ガス成分監視部は，前記燃料ガスの流体に加熱体を露出させて前記流体の流量及び質量を検出する熱式質量流量計を有し，当該質量にしたがって燃料ガスの成分が検出されることを特徴とする。
【００１７】
上記の目的を達成するために，本発明の別の側面は，ガス導管網の複数の位置に接続された複数のガス設備に，当該ガス導管網を経由して燃料ガスを供給する燃料ガス供給方法において，ガス導管網に複数の供給口から組成が異なる複数の燃料ガスを供給する工程と，前記ガス導管網の複数の位置に設けられたガス成分監視部により，それぞれの位置における燃料ガスの成分を検出する工程と，前記複数のガス成分監視部に共通に設けられたセンタ装置で，前記検出された燃料ガスの成分にしたがって前記複数のガス設備に供給される燃料ガス成分予測値を求め，それぞれのガス設備に当該燃料ガス成分予測値を供給する工程とを有することを特徴とする。
【００１８】
【発明の実施の形態】
以下，図面を参照して本発明の実施の形態例を説明する。しかしながら，かかる実施の形態例が，本発明の技術的範囲を限定するものではない。
【００１９】
図１は，本実施の形態におけるガス導管網を示す図である。ガス導管網１は，ガス供給地域内に張り巡らされている。ガス導管網１には，複数の位置に複数のガス設備2A〜2Eが接続され，それらのガス設備に燃料ガスが供給される。図１には示されないが，ガス導管網１にはガス圧を制御するガバナが設けられ，個人需要者に対してはガス圧を低下させて供給される。ここでのガス設備2A〜2Eは，例えば発電所，生産工場，ビルなどの比較的大口のガス需要者であり，それぞれが燃料ガスを燃焼する燃焼設備を有する。
【００２０】
ガス導管網１には，複数の供給箇所3A〜3Dから燃料ガス4A〜4Dが導入される。この複数の燃料ガス供給箇所3A〜3Dでは，例えばタンカーで運んできた液化天然ガスを気化し，そのまま若しくは熱量調節してガス導管網に導入したり，或いは，複数の天然ガス産出地からパイプラインにて運んできた天然ガスを，そのまま若しくは熱量調整してガス導管網に導入したりされる。従って，各供給箇所から導入される燃料ガス4A〜4Dの成分は，それぞれ異なる場合がある。
【００２１】
そして，導入された燃料ガスがガス導管網内を流れると，ガス導管網に従って混合され，ガス導管網１内では，時間的及び地域的に成分が異なる燃料ガスが流れることになる。その結果，ガス導管網から燃料ガスを供給される複数のガス設備2A〜2Eには，それぞれ異なる成分の燃料ガスが供給されると共に，それぞれのガス設備に供給される燃料ガスの成分は，時間的に変動する。
【００２２】
図２は，本実施の形態例におけるガスメータとガス設備を示す図である。この例は，ガスメータを利用してガス成分を監視して燃料制御を行う例である。ガスメータ１０は，ガス導管網１とガス設備２との間のガス配管に配置され，ガス設備２で使用される燃料ガスの流量を計測する。ガスメータ１０は，ガス配管の途中に配置される計量部１１と，その上流側に設けられた遮断弁１２と，下流側に設けられた圧力センサ１３とを有する。
【００２３】
更に，ガスメータ１０は，マイクロコンピュータからなる制御部１４と，液晶ディスプレイなどの表示部１６と，電池からなる電源１５と，外部とのデータ通信を行う通信部１７とを有する。制御部１４は，計測部１１により検出される流量に応じて，消費される流量を計測すると共に，保安上の問題が生じたことを検出して遮断弁１２を閉じたりする。圧力センサ１３は，ガスメータの二次側のガス圧力を検出し，ガス圧データを制御部１４に供給する。ガス圧力は，遮断弁１２の開閉制御に利用される。また，表示部１６は，例えば消費されたガス流量を表示し，遮断弁１２の開閉状態を表示する。
【００２４】
計量部１１は，ガス配管を流れる燃料ガスの流量を計測するものであり，例えば超音波流量計や熱式質量流量計が利用される。超音波流量計は，配管の流体内の流れ方向に沿って超音波を伝播させ，流速によって変動する超音波の伝播時間から流体の速度を求める。この流体の速度にガス配管の断面積を乗算することにより，単位時間当たりの流量を求めることができる。超音波の流体内の速度は，流体の質量によっても影響を受ける。燃料ガスの質量は，燃料ガスの分子量に対応し，メタン，ブタン，プロパンなどの炭化水素系ガスのみで燃料ガスが構成されるなど燃料ガスの成分の変動がある程度予想される場合は，その分子量から燃料ガスの成分を対応付けて検出することができる。
【００２５】
従って，超音波流量計の場合は，流量を計量することができると共にガス成分を検出することも可能になる。
【００２６】
熱式質量流量計も同様に流量の計量とガス成分の検出とを同時に行うことができる。熱式質量流量計は，例えば流体内に加熱された物体を挿入した場合，流体と物体の間で熱交換が行われ，加熱された物体が冷却される。この冷却率は流体の流速の関数になるので，加熱物体の温度を測定することにより流速を求めることができる。流速にガス配管の断面積を乗算することにより，単位時間当たりの流量が求められる。更に，上記の冷却率は，流体の質量によっても影響を受けるので，同様に，熱式質量流量計は，燃料ガスの成分も同時に検出することができる。
【００２７】
制御部１４は，計量部１１が計量した流量と成分の履歴を記憶する。記憶された流量と成分は，ガス料金の計算に利用される。また，制御部１４は，計量部１１が検出したガス成分が，許容範囲ないか否かをチェックし，例えば第１の許容範囲を超える場合は，通信部１７を介してガス設備２内の燃焼制御部に警告を与え，更に，第２の許容範囲を超える場合は，保安上などの理由から遮断弁１２を遮断制御する。これにより成分変動が許容範囲を超える場合の危険な燃焼状態を回避することができる。
【００２８】
制御部１４は，検出した燃料ガスの成分データを，通信部１７を介して，ガス設備２内の通信部２２に送信する。ガス設備２は，更に，ガス配管５から供給される燃料ガスに燃焼空気を混ぜて燃焼させる燃焼器２０と，燃焼器２０への供給ガス量と燃焼空気量を制御する燃焼制御部２１とを有する。燃焼制御部２１は，例えばガス配管５に接続される比例弁開度を制御することにより供給ガス圧力を調整して供給ガス量を制御する。例えば，燃焼器２０がブンデスバーナの場合は，供給ガス圧力に応じて燃焼空気量が制御される。
【００２９】
ガス設備２内の燃焼制御部２１は，ガスメータから送信されるガス成分データに従って，所望の燃焼出力が得られるように燃焼器２１の燃焼制御を行う。ガス成分が変化しても燃焼器２０の燃料出力が所望値に維持されるように燃焼制御を行うことが望ましい。
【００３０】
ガス成分の変動にしたがう燃焼制御の例を以下に説明する。例えば，現在都市ガスとして広く使用されているガス種１３Ａの燃料ガスは，約４６MJ/m3の熱量を有する。かかる燃料ガスは，ウオッベ・インデックス（発熱量／比重の平方根）と燃焼速度が一定の範囲になるように熱量調整されている。しかし，かかる熱量調整せずに成分が異なる複数の燃料ガスがガス導管網に導入されると，ガス設備に供給される燃料ガスの成分が変動する。
【００３１】
例えば，上記の約４６MJ/m3の熱量を有する燃料ガスが供給されている時に，単位時間当たりに１m3を燃焼する燃焼器は，燃焼出力４６MJ/ｈを有する。その場合，燃料ガスの成分が変動してその熱量が５％増加した場合は，燃焼制御部２１は，比例弁の二次ガス圧力を調整し，或いはバーナのノズル径を調整して，ガス供給量を５％の熱量増加に対応した量だけ減らすように制御する。これにより，同じ燃焼出力を維持することができる。
【００３２】
燃焼制御の例は，上記のガス供給量を調整するインプット調整の他に，空気・燃料比の調整，被燃料加工物に対するバーナ位置の調整，ＬＰガスなどの熱量調整用ガスの添加量の調整など種々の例が適用可能である。
【００３３】
ガス導管網内のガス成分の変動は，比較的ゆるやかであると予想されるので，たとえガスメータ１０とガス設備２内の燃焼器２０との間に一定の距離が存在しても，上記のガス成分の変動にしたがう燃焼制御はそれほど困難ではない。
【００３４】
なお，ガスメータの通信部１７とガス設備２の通信部２２との間の通信方法は，例えば有線または無線で行うことができ，無線の場合は，特定小電力，ＰＨＳなどのトランシーバ，ブルーツース（BlueTooth）などが利用可能である。
【００３５】
図３は，本実施の形態例におけるガスメータ，ガス設備，センタ装置を示す図である。ガスメータ１０の構成は，図２と同じである。図３の例では，ガス設備２内の燃焼器２０が，センタ装置３０から遠隔制御される例である。従って，センタ装置３０とガス設備２とは通信ネットワークにより接続され，センタ装置３０からの燃焼制御指令に応答して，燃焼制御部２１が燃焼器２０の燃焼制御を行う。
【００３６】
従って，図３の例では，センタ装置３０がガス設備２の燃焼器を遠隔制御するので，それに対応して，ガスメータ１０が検出した燃料ガスの成分データが，通信部１７からセンタ装置３０に送信される。センタ装置３０は，受信した成分データの変動にしたがって，所望の燃焼出力が得られるような燃焼制御指令を生成し，ガス設備２に送信する。燃焼制御の方法は，上記の例と同じである。また，センタ装置３０との通信方法は，例えば電話回線やインターネットが使用可能である。
【００３７】
図４は，本実施の形態例におけるガス設備の例を示す図である。この例では，燃料ガスの成分の監視が，ガス設備内の成分監視部４０により行われる。ガス設備２の燃焼器２０に接続されるガス配管５に，供給される燃料ガスの成分を検出する成分監視部４０が設けられる。成分監視部４０は，前述の例と同様に，超音波流量計や熱式質量流量計を利用することにより，流体の質量や比重を検出し，供給される燃料ガスの成分を特定することができる。
【００３８】
成分監視制御部４１は，例えばマイクロコンピュータで構成され，成分監視部４０を制御して検出される成分データを受信し，燃焼器２０を燃焼制御する燃焼制御部２１にその成分データを送信する。燃焼制御部２１は，その燃料ガスの成分の変動に応じて，燃焼器２０が所望の燃焼出力を維持することができるように，燃焼制御を行う。燃焼制御の方法は，前述の方法と同じである。
【００３９】
尚，図４のガス設備２は，通信部２２を有する。通信部２２は，例えば遠隔のセンタ装置と通信可能に接続され，センタ装置から燃焼制御指令を受信する。その場合は，燃焼制御部２１が，センタ装置からの燃焼制御指令と成分監視制御部４１からの成分データとによって，所望の燃焼出力が得られるように燃焼器２０を制御する。或いは，成分監視制御部４１が，通信部２２を介してセンタ装置にガス成分データを送信しても良い。その場合は，図３の例と同様に，センタ装置がガス成分の変動に応じて燃焼制御指令を生成し，燃焼制御部２１に当該指令を供給する。
【００４０】
図４の例の場合は，ガス配管５の前段にガス消費量を計量するガスメータが設けられる。ガスメータの構成は，図２，３に示した通りである。
【００４１】
図５は，本実施の形態例における燃料ガス供給方法を説明する図である。図５には，図１と同じガス導管網１が示され，複数のガス設備2A〜2Eに燃料ガスが供給される。そして，ガス導管網１の複数の地点にガス成分監視手段6A〜6Fが設けられ，それぞれの地点でのガス成分が検出される。ガス成分監視手段6A〜6Fは，遠隔に設けられたセンタ装置３０と通信可能な機能を有し，所定時間毎に検出したガス成分データを，センタ装置３０に送信する。この通信方法は，電話回線やインターネットが利用される。
【００４２】
ガス導管網１には，複数のガス導入箇所3A〜3Dから異なる成分の燃料ガスが導入されるので，ガス導管網１内の燃料ガスの成分は，地域的に及び時間的に変動する。従って，図５の例では，ガス導管網１の複数の箇所でガス成分を監視し，センタ装置３０にそのガス成分データを収集する。ガス導管網１に共通のセンタ装置３０に各地のガス成分データが集められることにより，センタ装置３０は，ガス導管網内のガス成分分布を取得することができる。
【００４３】
従って，このガス成分分布によって，ガス導管網に接続される複数のガス設備に供給されるガス成分を予測することができる。即ち，センタ装置３０は，どこのガス設備２にいつ頃どのようなガス成分の燃料ガスが供給されるかについての予測情報を生成することができる。このようにして生成されたガス成分予測情報が，センタ装置３０から各ガス設備２に通信手段により送信される。ガス設備２では，かかるガス成分予測情報に従って，燃焼制御に必要な処置を行うことができる。
【００４４】
ガス設備２が，ガス成分に基づいて厳密に燃焼制御を行う必要性がそれほど高くない場合は，ガス設備２において，センタ装置３０から供給されるガス成分予測情報に応じて，所望の燃焼出力が得られるように燃焼制御をおこなっても良い。または，ガス設備２の燃焼制御が，遠隔にあるセンタ装置３０から行われる場合であって，ガス成分に基づいて厳密に燃焼制御を行う必要性がそれほど高くない場合は，センタ装置３０が，ガス成分予測情報に応じて燃焼制御指令を作成し，ガス設備２に送信する。ガス設備２では，その予測されるガス成分を反映した燃焼制御指令に応じて，必要な燃焼制御が行われる。
【００４５】
【発明の効果】
以上，本発明によれば，ガス導管網にガス成分が異なる複数種類の燃料ガスが導入された場合に，各ガス設備に供給されるガス成分に応じて，所望の燃焼出力が得られるように燃焼制御が行われるので，多様化した燃焼ガスの輸入体制下でも，燃焼制御を厳密に管理することができる。
【００４６】
以上，本発明の保護範囲は，上記の実施の形態例に限定されるものではなく，特許請求の範囲に記載された発明とその均等物にまで及ぶものである。
【図面の簡単な説明】
【図１】本実施の形態におけるガス導管網を示す図である。
【図２】本実施の形態例におけるガスメータとガス設備を示す図である。
【図３】本実施の形態例におけるガスメータ，ガス設備，センタ装置を示す図である。
【図４】本実施の形態例におけるガス設備の例を示す図である。
【図５】本実施の形態例における燃料ガス供給方法を説明する図である。
【符号の説明】
１      ガス導管網
２      ガス設備
３      燃料ガス導入箇所
４      燃料ガス
１０    ガスメータ
１１    計量部，成分監視部
４０    成分監視部
【図１】
0004205300.tif 000002
【図２】
0004205300.tif 000003
【図３】
0004205300.tif 000004
【図４】
0004205300.tif 000005
【図５】
0004205300.tif 000006